(57)【要約】【課題】雪の積載効率を向上させた除雪具を提供する。【解決手段】凹部を有するバケットにフレームを設け、バケット両側に、棒状の折曲体の両端に有孔の取付板を設けてなる雪切用除雪付属具を設けたことを特徴とする。【選択図】図５
2010209668.tif 000002
【特許請求の範囲】
【請求項１】
棒状の折曲体の両端に有孔の取付板を設けたことを特徴とする雪切用除雪付属具。
【請求項２】
凹部を有するバケットにフレームを設け、バケット両側に、棒状の折曲体の両端に有孔の取付板を設けてなる雪切用除雪付属具を設けたことを特徴とする除雪具。
【発明の詳細な説明】
【技術分野】
【０００１】  この発明は、雪切用除雪付属具および該付属具を具備した除雪具に関する。
【背景技術】
【０００２】  従来より、除雪用具としての積載式除雪用具が多用されているが、本発明に示すように、雪切機能を付加したものは現在のところ見あたらない。
【発明の開示】
【発明が解決しようとする課題】
【０００３】  降雪地域においては、冬期降雪によって路面に雪が堆積するため、その除去すなわち除雪が必要となる。除雪手段としては、人力と機械力とに大別され、人力用具としては、スコップ等とともに積載式除雪用具が多用されている。この積載式除雪用具は、通称スノーダンプと呼ばれ、雪を積載するためのバケット部分と、このバケット部分と一体化しているフレーム部分とからなり、フレームを押してバケット先端を雪中に入れて雪を積載し、そのまま手押しにてあるいはフレームを引きずって雪を運搬し、排雪場所に至ればフレームを上方に持ち上げるか左右に傾けてバケット内の雪を排雪するものである。
このスノーダンプはスコップ等の他の人力用除雪用具に比べて除雪能力が高く、降雪多量の地域では多用されている。除雪の中断時では、このスノーダンプを雪路面上に放置することとなるが、このスノーダンプの重心位置の関係でフレームが路面に接する位置に至り、再使用時にはかがんでフレームを持ち上げる動作が必要であり、無用の労力を要するものである。また、バケットサイズにて積載する雪量に限度がある。とりわけ、多量の積雪時においては、多数回の除雪作業を強いられるものである。
本発明は、以上のような従来からの除雪用具に関わる課題を解決するために発明されたもので、雪切具を具備することにて、以上の課題を解決することのできる新規かつ有用なる除雪具用付属具と該付属具を一体化した除雪具を提供することを目的として開発されたものである。
【課題を解決するための手段】
【０００４】  課題を解決する手段として本発明は以下の構成とした。
すなわち、本発明の一つは、棒状の折曲体の両端に有孔の取付板を設けたことを特徴とする雪切用除雪付属具である。本発明の他の一つは、凹部を有するバケットにフレームを設け、バケット両側に、棒状の折曲体の両端に有孔の取付板を設けてなる雪切用除雪付属具を設けたことを特徴とする除雪具である。
【発明の効果】
【０００５】  本発明によれば、バケット両側上方に雪切フレームが位置するので、除雪時においてバケット巾サイズに雪を切り離し、この切り離した雪をバケット内に積載することができて、従来型の除雪具に比べてより多量の除雪を行うことのできる、有用なる用具を得ることができる。また、本発明は雪切フレームをバケットから取り外すことも可能であるので、使用状況に応じて使い分けることができる。さらに、雪切フレームの重量にてバケットとフレームによる重心位置が前方に移動するので、除雪中断時にフレーム端を上方に位置させて雪上に載置できて、除雪再開時には腰をかがめることなくフレームを手にできて便利であり、さらに、雪切フレームを雪面に接地させた状態にて立てておくことができるので、不使用時の保管に便利である。
【発明を実施するための最良の形態】
【０００６】  以下、本発明の実施形態について説明する。
図において、１はフレームで、平面視略コ字形の管体であり、その略中央は正面視において鈍角に折曲されている。また、フレーム中間部には補強用のフレームが位置する。
２はバケットで、中央に向けて凹部となる合成樹脂製板体であり、先端部を除く三方は略円弧形に折曲されて上記フレーム上にボルトナット止めされる。このバケットは先端は浅く後方に向かうにつれて深くなる凹部を有している。
３は雪切フレームである。４はフレーム主体で、金属製細管体をその中ほどから鋭角に折曲して形成される。５は取付板で、横断面円弧形の小板体であり、フレーム主体両端にその上面が固着される。６は取付孔で、各取付板最上位置適所に穿設される。
以上のフレーム主体と取付板にて雪切フレームが形成される。この雪切フレームは、前記のバケット両側上面に螺着される。この螺着時において、フレームおよびバケットに既設の孔を利用する。すなわち、バケットをフレームに止めているボルトとナットを取り外し、雪切フレームの取付孔を既設の孔に合わせ重ねてボルトとナットにて螺着する。
本発明の使用に際しては、フレームを手に持ち、雪中にバケット先端を押し込むと、バケットは雪中に入るが同時に雪切フレームにて雪を切って進むこととなる。次に、フレームを押し下げることにて雪は分離し、バケット上に積載された雪を運搬して排雪することができる。不使用時は、重心位置の関係で図８のように雪上に位置させることができる。
これは、雪切フレームの重量にてバケットとフレームによる重心位置が前方に移行するためである。また、図９のように雪上等に雪切フレームを接地させて安定載置させることができる。【０００７】  以上、本発明について記したが、本発明はバケットとフレームを有する除雪具に、雪切フレームを付加したところにその特徴を有し、バケット上方の雪を雪切フレームにて切り離すことにて、より多量の雪をバケットに積載することができる、除雪効率を高めることのできる除雪具を提供するものである。従来の積載型除雪具は、バケットとフレームのみで構成されているために、本発明のようなバケット上方の雪切り機能を有せず、従ってバケットに多量の雪を積載しようとしても雪が崩れてしまい、積載能力に欠けるものであって、多量の積雪時においては多数回のバケット移動を行わねばならなかったが、本発明にてこれが解消されるものとなったのである。また、本発明では雪切フレームとバケットとを分離可能としたので、一般の除雪具としての使用も可能である。
なお、既述の例では雪切フレームのバケットおよびフレームへの取付はボルトとナットによる方式としたが、雄ねじを有するつまみ７と雌ねじを有するつまみ８との組み合わせにて取り付けてもよく、この場合は工具なしで雪切フレームの取付と取り外しが可能である。また、既述の例は実施の一例であり、近似の他の構成としてもよい。
以上のごとく、本発明によって積載能力向上、路面載置の利便性など種々の利点を有する除雪具と、この除雪具に装着するための雪切フレームを得ることができる。
【図面の簡単な説明】
【０００８】
【図１】  本発明雪切フレームの正面図
【図２】  本発明雪切フレームの左側面図
【図３】  本発明雪切フレームの平面図
【図４】  本発明除雪具の平面図
【図５】  本発明除雪具の正面図
【図６】  本発明除雪具変化例の要部説明図
【図７】  本発明除雪具の左側面図
【図８】  本発明除雪具の載置説明図
【図９】  本発明除雪具の載置説明図
【符号の説明】
【０００９】  １  フレーム
２  バケット
３  雪切フレーム
４  フレーム主体
５  取付板
６  取付孔
７  つまみ
８  つまみ
【図１】
2010209668.tif 000003
【図２】
2010209668.tif 000004
【図３】
2010209668.tif 000005
【図４】
2010209668.tif 000006
【図５】
2010209668.tif 000007
【図６】
2010209668.tif 000008
【図７】
2010209668.tif 000009
【図８】
2010209668.tif 000010
【図９】
2010209668.tif 000011